(57)【要約】【課題】軸筒の前端からのペン先出長さを調節できるとともに、軸筒の前端からのペン先出長さを調節した後でも安定した筆記が可能となる筆記具を提供する。【解決手段】軸筒２内に筆記体６を前後方向に移動可能に収容する。筆記体６のペン先６１を軸筒２の前端孔３１を通して出没自在に構成する。軸筒２が、前端に前端孔３１を備えた前軸３と、前軸３の後端部に螺合可能な後軸４とからなる。前軸３の後端部外周面に雄ねじ部３２を設ける。前軸３の雄ねじ部３２の前方の外周面に当接段部３３を設ける。後軸４の前端部内周面に雄ねじ部３２と螺合可能な雌ネジ部４１を設ける。前軸３と後軸４との間に環状のペン先出長さ調節部材８を着脱自在に設ける。ペン先出長さ調節部材８を前軸３と後軸４とにより前後方向に挟持する。【選択図】  図２
2010094878.tif 000002
【特許請求の範囲】
【請求項１】
軸筒内に筆記体を収容し、前記筆記体のペン先を軸筒の前端孔を通して外部に突出させ、前記軸筒が、前端に前端孔を備えた前軸と、前記前軸の後端部に螺合可能な後軸とからなる筆記具であって、前記前軸と前記後軸との間に環状のペン先出長さ調節部材を着脱自在に設け、前記ペン先出長さ調節部材を前記前軸と前記後軸とにより前後方向に挟持してなることを特徴とする筆記具。
【請求項２】
前記軸筒内に筆記体を前後方向に移動可能に収容し、前記筆記体のペン先を軸筒の前端孔を通して出没自在に構成してなる請求項１記載の筆記具。
【請求項３】
前記軸筒内に複数の筆記体を前後方向に移動可能に収容し、前記各々の筆記体を弾発体により後方に付勢し、前記各々の弾発体を後軸内に収容し、前記各々の筆記体の後端に操作体を取り付け、前記後軸の側壁に前後方向に延びる複数の窓孔を径方向に貫設し、前記各々の窓孔から径方向外方に前記各々の操作体を突出させ、一つの操作体を窓孔に沿って前方にスライドさせることにより、前記筆記体のペン先を前記前軸の前端孔を通して選択的に出没させてなる請求項１または２記載の筆記具。
【請求項４】
前記前軸の後端部外周面に雄ネジ部を設け、前記前軸の雄ネジ部の前方の外周面に当接段部を設け、前記後軸の前端部内周面に前記雄ネジ部と螺合可能な雌ネジ部を設け、前記雄ネジ部と前記当接段部との間の前軸外周面に前記ペン先出長さ調節部材を挿入し、前記前軸の当接段部と前記後軸の前端とにより前記ペン先出長さ調節部材を前後方向に挟持してなる請求項１、２または３記載の筆記具。
【請求項５】
前記ペン先出長さ調節部材を複数備えた請求項１、２、３または４記載の筆記具。
【発明の詳細な説明】
【技術分野】
【０００１】
本発明は、筆記具に関する。詳細には、軸筒が、前端に前端孔を備えた前軸と、前記前軸の後端部に螺合可能な後軸とからなる筆記具に関する。
【背景技術】
【０００２】
特許文献１には、軸筒が前軸と後軸とからなり、前軸と後軸が螺着されて取り外し可能に連結される多芯筆記具が記載されている。
【０００３】
【特許文献１】実用新案登録第２５４７０９５号公報
【発明の開示】
【発明が解決しようとする課題】
【０００４】
前記従来の筆記具は、前軸と後軸との螺合を緩めると、軸筒の前端からのペン先出長さを短くすることは可能であるが、前軸と後軸との間でがたつきが生じ、安定した筆記ができない。
【０００５】
本発明は、前記従来の問題点を解決するものであって、軸筒の前端からのペン先出長さを調節できるとともに、軸筒の前端からのペン先出長さを調節した後でも安定した筆記が可能となる筆記具を提供しようとするものである。尚、本発明において、「前」とはペン先側を指し、「後」とはその反対側を指す。
【課題を解決するための手段】
【０００６】
［１］本願の第１の発明は、軸筒２内に筆記体６を収容し、前記筆記体６のペン先６１を軸筒２の前端孔３１を通して外部に突出させ、前記軸筒２が、前端に前端孔３１を備えた前軸３と、前記前軸３の後端部に螺合可能な後軸４とからなる筆記具であって、前記前軸３と前記後軸４との間に環状のペン先出長さ調節部材８を着脱自在に設け、前記ペン先出長さ調節部材８を前記前軸３と前記後軸４とにより前後方向に挟持してなることを要件とする。
【０００７】
前記第１の発明の筆記具１は、前軸３と後軸４との間に環状のペン先出長さ調節部材８を着脱させることにより、軸筒２内部の筆記体６の収容部の全長を調節でき、その結果、軸筒２の前端からのペン先出長さＬを調節できる。また、前記第１の発明の筆記具１は、ペン先出長さ調節部材８を前軸３と後軸４とにより前後に挟持してなることにより、軸筒２の前端からのペン先出長さＬを調節した後でも、前軸３と後軸４とのがたつきがなく、安定した筆記が可能となる。尚、前記ペン先出長さ調節部材８の形状は、完全な環状以外にも、一部に切り欠きを有するＣ字状であってもよい。また、前記ペン先出長さ調節部材８の外形状は、円、多角形、楕円等の何れであってもよい。
【０００８】
[２]本願の第２の発明は、前記第１の発明の筆記具１において、軸筒２内に筆記体６を前後方向に移動可能に収容し、前記筆記体６のペン先６１を軸筒２の前端孔３１を通して出没自在に構成したことを要件とする。
【０００９】
前記第２の発明の筆記具１は、軸筒２の前端からのペン先出長さＬを調節できるとともに、軸筒２の前端からのペン先出長さＬを調節した後でも安定した筆記が可能となる出没式筆記具を得ることができる。
【００１０】
[３]本願の第３の発明は、前記第１または第２の発明の筆記具１において、軸筒２内に複数の筆記体６を前後方向に移動可能に収容し、前記各々の筆記体６を弾発体７により後方に付勢し、前記各々の弾発体７を後軸４内に収容し、前記各々の筆記体６の後端に操作体６２を取り付け、前記後軸４の側壁に前後方向に延びる複数の窓孔４２を径方向に貫設し、前記各々の窓孔４２から径方向外方に前記各々の操作体６２を突出させ、一つの操作体６２を窓孔４２に沿って前方にスライドさせることにより、前記筆記体６のペン先６１を前記前軸３の前端孔３１を通して選択的に出没させてなることを要件とする。
【００１１】
前記第３の発明の筆記具１は、軸筒２の前端からのペン先出長さＬを調節できるとともに、軸筒２の前端からのペン先出長さＬを調節した後でも安定した筆記が可能となる、軸筒２内に複数の筆記体６を収容した多芯タイプの出没式筆記具を得ることができる。
【００１２】
[４]本願の第４の発明は、前記第１、第２または第３の発明の筆記具１において、前記前軸３の後端部外周面に雄ねじ部３２を設け、前記前軸３の雄ねじ部３２の前方の外周面に当接段部３３を設け、前記後軸４の前端部内周面に前記雄ねじ部３２と螺合可能な雌ネジ部４１を設け、前記雄ねじ部３２と前記当接段部３３との間の前軸３外周面に前記ペン先出長さ調節部材８を挿入し、前記前軸３の当接段部３３と前記後軸４の前端とにより前記ペン先出長さ調節部材８を前後方向に挟持してなることを要件とする。
【００１３】
前記第４の発明の筆記具１は、雄ねじ部３２と当接段部３３との間の前軸３外周面にペン先出長さ調節部材８を挿入することによって、前軸３と後軸４との螺合前に、ペン先出長さ調節部材８が前軸３から外れることを抑止でき、その結果、ペン先出長さ調節部材８の取付作業が容易となる。
【００１４】
[５]本願の第５の発明は、前記第１、第２、第３または第４の発明の筆記具１において、前記ペン先出長さ調節部材８を複数備えたことを要件とする。
【００１５】
前記第５の発明の筆記具１は、ペン先出長さ調節部材８を複数備えたことにより、例えば、厚みＴの異なる複数のペン先出長さ調節部材８から好みの厚みＴを有するペン先出長さ調節部材８を選択することができ、あるいは、複数のペン先出長さ調節部材８を重ねて使用することができる。その結果に、ユーザーが容易に軸筒２前端からのペン先出長さＬを調節することができる。
【発明の効果】
【００１６】
本発明の筆記具によれば、軸筒の前端からのペン先出長さを調節できるとともに、軸筒の前端からのペン先出長さを調節した後でも安定した筆記が可能となる。
【発明を実施するための最良の形態】
【００１７】
図１乃至図６に本発明の実施の形態を示す。
【００１８】
本実施の形態の筆記具１は、軸筒２内に複数本の筆記体６が収容され、前記各々の筆記体６のペン先６１が軸筒２の前端の前端孔３１より選択的（択一的）に出没される多芯タイプの出没式筆記具である。前記各々の筆記体６の後端部には、操作体６２が取り付けられる。前記各々の筆記体６は、弾発体７（コイルスプリング）により後方に常時付勢されている。
【００１９】
前記軸筒２は、円筒状の前軸３と、該前軸３に着脱自在に螺合される円筒状の後軸４とからなる。前記前軸３及び後軸４は、合成樹脂または金属材料からなる。
【００２０】
（前軸）
前記前軸３の前端部は、先細状に形成され、前記前軸３の前端に前端孔３１が前後方向に貫設される。前記前軸３の後端部外周面には、雄ねじ部３２が形成される。前記雄ねじ部３２より前方の前軸３外周面には、前記雄ねじ部３２の外径より大きい外径を有する環状の当接段部３３が形成される。
【００２１】
（後軸）
前記後軸４の前端部内周面には、雌ネジ部４１が形成される。前記雌ネジ部４１に、前記前軸３の雄ねじ部３２が螺合される。
【００２２】
前記後軸４の後端部側壁には前後方向に延びる複数の窓孔４２が形成される。前記各々の窓孔４２から各々の筆記体６の操作体６２が外部に突出される。前記各々の操作体６２を窓孔４２に沿って前方にスライド操作することによって、各々の筆記体６のペン先６１が選択的に前端孔３１より出没される。前記後軸４の窓孔４２相互間の側壁内面には、係止壁部４３が一体に形成される。前記係止壁部４３に、ペン先突出状態の筆記体６の後端に取り付けられた操作体６２の後端が係止される。
【００２３】
前記後軸４の後端には、窓孔４２を後方に切り欠き状に開口する開口部が形成される。また、前記後軸４の後端には、前記開口部を開閉自在にする蓋部５が設けられる。前記蓋部５の前面には、ペン先没入状態の筆記体６に取り付けられた操作体６２の後端が当接可能な当接壁部５１が形成される。前記開口部を介して、操作体６２を備えた筆記体６を軸筒内に挿入且つ軸筒内から取り外し可能（交換可能）である。
【００２４】
（ペン先出長さ調節部材）
前記前軸３の当接段部３３と雄ねじ部３２との間の外周面には、環状のペン先出長さ調節部材８が挿入され、前軸３の雄ねじ部３２と後軸４の雌ネジ部４１とを螺合することによって、前記ペン先出長さ調節部材８が当接段部３３と後軸４の前端とにより前後方向に挟持される。前記ペン先出長さ調節部材８を着脱させることにより、軸筒２前端からのペン先出長さＬを調節することができる。
【００２５】
（ペン先出長さＬの調節）
本実施の形態の筆記具１は、前軸３と後軸４との間に環状のペン先出長さ調節部材８を着脱させることにより、後軸４内のペン先突出時の筆記体６の後端（操作体６２の後端）を支持する部分（係止壁部４３）と前軸３前端との距離を調節でき（即ち、軸筒２内部の筆記体６の収容部の全長を調節でき）、その結果、軸筒２の前端からのペン先出長さＬを調節することができる。
【００２６】
ペン先出長さＬの調節方法ａ．ｂ．ｃ．を以下に説明する。
ａ．厚みＴの異なる複数のペン先出長さ調節部材による調節
厚みＴの異なる複数のペン先出長さ調節部材８を用意し、好みの厚みＴを有するペン先出長さ調節部材８を選択し、それを前軸３と後軸４との間で挟持することにより、ペン先出長さＬを調節することができる。  
具体例を図４乃至図６に示す。
厚みの異なる３種類のペン先出長さ調節部材８を用意する。各々のペン先出長さ調節部材８は、厚みＴ１、Ｔ２、Ｔ３（大小関係：Ｔ１＞Ｔ２＞Ｔ３）を有する。厚みの最も大きいＴ１を有するペン先出長さ調節部材８を選択した場合（図４参照）、最も小さいペン先出長さＬ１を得ることができ、中程度の厚みＴ２を有するペン先出長さ調節部材８を選択した場合（図５参照）、中程度のペン先出長さＬ２を得ることができ、厚みの最も小さいＴ３を有するペン先出長さ調節部材８を選択した場合（図６参照）、最も大きなペン先出長さＬ３を得ることができる。
【００２７】
ｂ．複数のペン先出長さ調節部材の個数による調節
複数のペン先出長さ調節部材８を用意し、前記ペン先出長さ調節部材８を好みの個数だけ選択し、前軸３と後軸４との間に重ねて挟持することにより、好みのペン先出長さＬを得ることができる。尚、前記各々のペン先出長さ調節部材８の厚みＴは、同一であってもよいし、異なるものでもよい。
【００２８】
ｃ．ペン先出長さ調節部材の有無による調節
厚みＴを有するペン先出長さ調節部材８を前軸３と後軸４との間で挟持する場合と、ペン先出長さ調節部材８を前軸３と後軸４との間に介在させず、前軸３の当接段部３３と後軸４の前端とを直接当接する場合とにより、ペン先出長さＬを調節することができる。
【図面の簡単な説明】
【００２９】
【図１】本発明の実施の形態の全ペン先没入状態の筆記具の縦断面図である。
【図２】図１のペン先突出状態を示す縦断面図である。
【図３】図１の前軸と後軸の螺合前の状態を示す図である。
【図４】図１の筆記具において、厚みＴ１のペン先出長さ調節部材を採用した要部正面図である。
【図５】図１の筆記具において、厚みＴ２のペン先出長さ調節部材を採用した要部正面図である。
【図６】図１の筆記具において、厚みＴ３のペン先出長さ調節部材を採用した要部正面図である。
【符号の説明】
【００３０】
１  筆記具
２  軸筒
３  前軸
３１  前端孔
３２  雄ネジ部
３３  当接段部
４  後軸
４１  雌ネジ部
４２  窓孔
４３  係止壁部
５  蓋部
５１  当接壁部
６  筆記体
６１  ペン先
６２  操作体
７  弾発体
８  ペン先出長さ調節部材
【図１】
2010094878.tif 000003
【図２】
2010094878.tif 000004
【図３】
2010094878.tif 000005
【図４】
2010094878.tif 000006
【図５】
2010094878.tif 000007
【図６】
2010094878.tif 000008